(57)【要約】【課題】歩行者の保護が確実にできる歩行者保護用フードエアバッグ装置の提供を課題とする。【解決手段】車体前側のフード前部１６が車体後側のフード後部１８に対して回動可能に構成されたフード１４と、フード前部１６の内面に一端側の背面が固着され、他端側の背面が車体２４側に固着されて折り畳まれて収納され、フード前部１６の回動と共に展開するエアバッグ３０と、エアバッグ３０の折り畳まれた腹面側に設けられ、エアバッグ３０の展開時に歩行者を吸着して保持する吸着保持手段３２と、エアバッグ３０の折り畳まれた腹面側に設けられ、エアバッグ３０の収納時に吸着保持手段３２が互いに接着されるのを防止する接着防止手段２８と、を有する歩行者保護用フードエアバッグ装置１０とする。【選択図】図３
2008254498.tif 000002
【特許請求の範囲】
【請求項１】
車体前側のフード前部が車体後側のフード後部に対して回動可能に構成されたフードと、
前記フード前部の内面に一端側の背面が固着され、他端側の背面が車体側に固着されて折り畳まれて収納され、前記フード前部の回動と共に展開するエアバッグと、
前記エアバッグの折り畳まれた腹面側に設けられ、該エアバッグの展開時に歩行者を吸着して保持する吸着保持手段と、
前記エアバッグの折り畳まれた腹面側に設けられ、該エアバッグの収納時に前記吸着保持手段が互いに接着されるのを防止する接着防止手段と、
を有することを特徴とする歩行者保護用フードエアバッグ装置。
【請求項２】
前記エアバッグの展開時に、前記フード前部が、前記フード後部に底付きしない構造とされていることを特徴とする請求項１に記載の歩行者保護用フードエアバッグ装置。
【請求項３】
前記吸着保持手段が、感圧接着剤であることを特徴とする請求項１又は請求項２に記載の歩行者保護用フードエアバッグ装置。
【発明の詳細な説明】
【技術分野】
【０００１】
本発明は、歩行者保護用フードエアバッグ装置に関する。
【背景技術】
【０００２】
従来から、車両の前部側に衝突した歩行者を保護する歩行者保護用フードエアバッグ装置は知られている（例えば、特許文献１〜特許文献４参照）。特許文献１に記載のフードエアバッグ装置では、フード上面に展開する右半部と左半部の複数のエアバッグが歩行者の衝突位置に応じて選択的に展開可能になっており、衝突時に車体と接触する胴部・肩部・頭部を保護する機能を有している。
【０００３】
しかしながら、車両の速度が大きいときや身長の高い人が衝突する場合には、頭部がウィンドウシールド側に移動するため、その頭部が車体と衝突する可能性があり、頭部を確実に保護することができない問題があった。また、そのエアバッグは、身体を保持する機能を有していないので、身体がエアバッグに接触後、路面などに落ち、２次衝突を招く可能性もあった。
【０００４】
また、特許文献２に記載のフードエアバッグ装置は、エアバッグをフードの後部からウィンドウシールドに沿って目的の箇所に展開させる外面展開型エアバッグ装置であり、フードを２つに分け、ヒンジを介した上下方向の回動によってウィンドウシールド側のフードを持ち上げることにより、エアバッグの展開方向を規制し、歩行者が衝突したときに、その頭部を保護する構成とされている。しかしながら、この場合、フード面に衝撃を吸収する機能が備えられていないので、頭部が車体と接触する前に、その車体と接触する肩部や胴部を保護することができず、結果として頭部の加速度を低減できない問題がある。
【０００５】
また、特許文献３に記載のフードエアバッグ装置は、展開したエアバッグの外面に接着層が設けられており、そのエアバッグが展開する前は、接着機能を持たず、バンパに取り付けられたセンサが歩行者との接触を感知し、エアバッグが展開した後に接着剤を接着層に染み込ませる構成になっている。しかしながら、この場合、歩行者との接触を感知した後にエアバッグが展開するので、現象時間の短い（１００ｍｓ以内の）衝突事象で接着剤を染み込ませることは困難と考えられ、人体保持機能は小さいと考えられる。
【０００６】
また、特許文献４に記載のフードエアバッグ装置は、フードに乗り上げた歩行者の路面への落下を防止するために、エアバッグの形状が工夫されている。しかしながら、このような構成では、衝突位置が正面からずれたときには、その落下を防止することができない問題がある。また、車両の速度が大きいときや身長の高い人が衝突する場合には、頭部を保護することが困難である。
【特許文献１】特開平９−３０３６８号公報
【特許文献２】特開２００３−９５０４４号公報
【特許文献３】特開平８−１８３４２３号公報
【特許文献４】特開２００４−１３６８１３号公報
【発明の開示】
【発明が解決しようとする課題】
【０００７】
そこで、本発明は、歩行者の保護が確実にできる歩行者保護用フードエアバッグ装置を得ることを目的とする。
【課題を解決するための手段】
【０００８】
上記の目的を達成するために、本発明に係る請求項１に記載の歩行者保護用フードエアバッグ装置は、車体前側のフード前部が車体後側のフード後部に対して回動可能に構成されたフードと、前記フード前部の内面に一端側の背面が固着され、他端側の背面が車体側に固着されて折り畳まれて収納され、前記フード前部の回動と共に展開するエアバッグと、前記エアバッグの折り畳まれた腹面側に設けられ、該エアバッグの展開時に歩行者を吸着して保持する吸着保持手段と、前記エアバッグの折り畳まれた腹面側に設けられ、該エアバッグの収納時に前記吸着保持手段が互いに接着されるのを防止する接着防止手段と、を有することを特徴としている。
【０００９】
請求項１に記載の発明によれば、歩行者と接触するフード前部側にエアバッグが現出し、その腹面側に吸着保持手段が設けられているので、少なくとも歩行者の臀部・胴部・肩部は、そのエアバッグにより衝撃吸収されるとともに、その吸着保持手段によって吸着・保持される。したがって、それらの部位における傷害低減効果が得られるとともに、エアバッグと接触した歩行者が、路面に転落するなどの２次衝突を防止することができる。
【００１０】
また、臀部・胴部・肩部で衝撃が吸収され、更にそれらの部位が吸着・保持されることにより、頭部の加速度が低減されるとともに、頭部の移動範囲がより一層限定される。よって、頭部の保護性能を高めることができ、頭部傷害低減効果を高めることができる。また、エアバッグの収納時、接着防止手段により、吸着保持手段が互いに接着されるのを防止できるので、エアバッグの展開と同時に、その吸着保持手段を機能させる構成にすることができる。
【００１１】
また、請求項２に記載の歩行者保護用フードエアバッグ装置は、請求項１に記載の歩行者保護用フードエアバッグ装置において、前記エアバッグの展開時に、前記フード前部が、前記フード後部に底付きしない構造とされていることを特徴としている。
【００１２】
請求項２に記載の発明によれば、エアバッグが展開することにより、ウィンドウシールド側に跳ね上げられた（回動した）フード前部は、そのエアバッグの展開後において、フード後部に底付きしない。したがって、フード前部がクッション機能を有し、頭部がウィンドウシールド側に移動して、車体と衝突するのを更に防止することができる。つまり、これにより、頭部を確実に保護することができ、頭部傷害低減効果を更に高めることができる。
【００１３】
また、請求項３に記載の歩行者保護用フードエアバッグ装置は、請求項１又は請求項２に記載の歩行者保護用フードエアバッグ装置において、前記吸着保持手段が、感圧接着剤であることを特徴としている。
【００１４】
請求項３に記載の発明によれば、感圧接着剤を使用することにより、エアバッグに衝突した歩行者を好適に吸着・保持することができる。したがって、エアバッグに衝突した歩行者の路面への落下を確実に防止することができる。なお、感圧接着剤の厚さを増加させることにより、接着力を増加させることができるので、歩行者（人体）のエアバッグヘの固定効果を容易に高めることができる。
【発明の効果】
【００１５】
以上のように、本発明によれば、歩行者の保護が確実にできる歩行者保護用フードエアバッグ装置を提供することができる。
【発明を実施するための最良の形態】
【００１６】
以下、本発明の最良な実施の形態について、図面に示す実施例を基に詳細に説明する。図１は本実施形態に係る歩行者保護用フードエアバッグ装置１０が装備された車両１２のエアバッグ３０展開前の状態を示す概略斜視図であり、図２は同じく概略側断面図である。そして、図３は本実施形態に係る歩行者保護用フードエアバッグ装置１０が装備された車両１２のエアバッグ３０展開後の状態を示す概略斜視図であり、図４は同じく概略側断面図である。なお、図１〜図４において、矢印ＵＰを車体上方向、矢印ＦＲを車体前方向とする。
【００１７】
図１〜図４で示すように、車両１２のフード１４は、車体前後方向略中央部から前側（以下「フード前部」という）１６が、後側（以下「フード後部」という）１８に対して回動可能となるように構成されている。すなわち、フード前部１６の車体後側が、フード後部１８の車体前側に回動可能にヒンジ２０されており、後述するエアバッグ３０の展開時にフード前部１６がウィンドウシールド２２側に向かって回動して、そのエアバッグ３０の展開を許容するようになっている。
【００１８】
なお、通常時（エアバッグ３０の非展開時）には、図示しないストッパー等によって、フード前部１６は回動しないように固定されている。つまり、通常時（エアバッグ３０の非展開時）において、フード１４を開閉する際には、従来と同様に、フード後部１８の車体後側がヒンジされて開閉するようになっている。また、フード前部１６がウィンドウシールド２２側へ回動した際、そのフード前部１６は、フード後部１８に底付きしないようになっている。
【００１９】
すなわち、フード前部１６がウィンドウシールド２２側へ回動した際、フード前部１６の表面（外面）は、フード後部１８の表面（外面）に接触しないようになっている。これは、フード前部１６（フード１４）の車幅方向が外方に向かって湾曲していることによるが、ヒンジ２０に図示しないストッパー等を設けて、フード前部１６がフード後部１８に対して底付きしないように構成してもよい。これにより、フード前部１６が、ヒンジ２０を中心とした回動方向にクッション機能を有する構成になっている。
【００２０】
また、フード前部１６の裏面側には、その裏面と所定の間隙を隔てて支持板２４が設けられており、少なくともフード前部１６は２重構造とされている。そして、その支持板２４の上面とフード前部１６の裏面との間に、エアバッグ３０が設けられている。すなわち、エアバッグ３０の一端側の背面がフード前部１６の裏面に固着され、エアバッグ３０の他端側の背面が支持板２４の上面に固着されており、通常時（エアバッグ３０の非展開時）では、そのエアバッグ３０は折り畳まれた状態で収納されている。そして、エアバッグ３０にガスを噴出するインフレータ２６が支持板２４の下面側に設けられている。
【００２１】
また、図３〜図５で示すように、衝突時に展開して歩行者と接触するエアバッグ３０の腹面（表面）側には、吸着保持手段としての感圧接着剤３２が全面に亘って貼設されており、その感圧接着剤３２上には、接着防止手段としての網状部材（以下「ネット」という）２８が設けられている。このネット２８により、エアバッグ３０が折り畳まれた状態で収納されていても、その表面（腹面）の感圧接着剤３２同士が、互いに接着されない構成である。
【００２２】
すなわち、このネット２８は、エアバッグ３０の展開時には、少なくとも歩行者の臀部・胴部・肩部を吸着・保持でき、エアバッグ３０の収納時には、ネット２８同士が互いに接触することにより、感圧接着剤３２同士が互いに接触しないようにできる程度の網目とされており（図５参照、図３では図面を見やすくするため、ネット２８の網目を粗くしている）、これによって、エアバッグ３０の収納時において、感圧接着剤３２同士の接着が防止されるようになっている。
【００２３】
なお、感圧接着剤３２としては、例えばシリコーンＰＳＡ（ＧＥ  ＴＯＳＨＩＢＡ  ＳＩＬＩＣＯＮＥＳ社製）等が使用可能である。この感圧接着剤３２は、粘着剤とも呼ばれており、常温でも速やかに接着し、剥がすことも可能であることから、特殊テープやラベル製品の製造に使用されている。また、その感圧接着剤３２の接着力は、感圧接着剤３２の量（厚さ）を増減することで調整することができる。更に、吸着保持手段としては、感圧接着剤３２に限定されるものではなく、例えば粘着テープや感圧式ではない接着剤等を使用しても構わない。
【００２４】
以上のような構成の歩行者保護用フードエアバッグ装置１０において、次にその作用について説明する。車両１２が歩行者と衝突すると（又は車両１２が歩行者との衝突を事前に検知すると）、インフレータ２６により、エアバッグ３０にガスが噴出され、折り畳まれたエアバッグ３０が膨張・展開して、フード前部１６を上方に向かって跳ね上げる。
【００２５】
すなわち、フード前部１６の車体後側は、フード後部１８の車体前側にヒンジ２０され、通常時は図示しないストッパーによって回動不能にロックされているが、歩行者との衝突（又は衝突検知）により、エアバッグ３０が膨張・展開すると、まず、ストッパーがその展開力によって破壊されるなどして、ロックが解除され、フード前部１６のみ、ヒンジ２０を中心にしてウィンドウシールド２２側に向かって回動する。これにより、車幅方向全体に亘るエアバッグ３０が、車体前部側に現出し、その表面（腹面）に歩行者が接触（衝突）する。
【００２６】
このように、車両１２（フード１４）の前部側全体にエアバッグ３０が展開されると、歩行者の臀部・胴部・肩部・頭部に加えられる衝撃は、そのエアバッグ３０により緩和・吸収されるので、それらの部位における傷害低減効果が得られる。特に、その歩行者の臀部・胴部・肩部が頭部よりも先にエアバッグ３０に接触することにより、それらの衝撃が好適に緩和・吸収されることから、頭部の加速度を低減することができる。したがって、従来技術のような単に頭部だけを保護するものよりも、頭部における傷害低減効果を高めることができる。
【００２７】
また、エアバッグ３０の展開により、ウィンドウシールド２２側へ跳ね上げられた（回動した）フード前部１６の外面（表面）は、フード後部１８の外面（表面）に底付き（接触）しないようになっている。つまり、フード前部１６はクッション機能を有する構造になっている。したがって、エアバッグ３０（車両１２）に衝突した歩行者の頭部が、ウィンドウシールド２２側に移動して車体と衝突するのを確実に防止できるとともに、その頭部を確実に保護することができる（頭部における傷害低減効果を更に高めることができる）。
【００２８】
また、展開されたエアバッグ３０の表面（腹面）全体には、感圧接着剤３２が貼設されているので、エアバッグ３０の表面に接触（衝突）した歩行者は、そのほぼ全身（少なくとも臀部・胴部・肩部）が感圧接着剤３２によって吸着・保持される。したがって、エアバッグ３０（車両１２）に衝突した歩行者が路面（地面）に転落するなどの２次衝突を防止することができる。また、少なくとも歩行者の臀部・胴部・肩部が吸着・保持されることから、頭部の移動範囲をより一層限定することができる。よって、頭部の保護性能を更に高めることができる。
【００２９】
なお、感圧接着剤３２の量（厚さ）を増加させることにより、歩行者を保持する吸着力（接着力）を増加させることができるので、歩行者に対するエアバッグ３０の吸着・保持効果を容易に高めることができる。また、エアバッグ３０に予め感圧接着剤３２を貼設しておくため、従来技術のような接着剤の染み込み時間が必要となるような問題を回避することができる。
【００３０】
また、通常時（エアバッグ３０の非展開時）には、エアバッグ３０は、折り畳まれた状態で収納されるが、折り畳まれたエアバッグ３０の感圧接着剤３２上には、ネット２８が設けられているので、感圧接着剤３２同士が互いに接着されるのを防止することができる。つまり、歩行者が接触する表面（腹面）に感圧接着剤３２が設けられたエアバッグ３０において、その展開前の問題（感圧接着剤３２が互いに接着されてしまう問題）を回避することができる。
【００３１】
ここで、本実施形態に係る歩行者保護用フードエアバッグ装置１０の基礎となる、人体モデルを用いた計算結果を図６に示す。すなわち、この図６で示すグラフは、車両１２に衝突した瞬間に歩行者の頭部に生じる加速度を、フード１４の表面（外面）にクッション（エアバッグ３０に相当）が有る場合と無い場合とで比較したグラフである。このグラフから判るように、フード１４の表面（外面）にクッションが有る場合は、無い場合に比べて、頭部に生じる加速度は約半分まで低下している。頭部に生じる加速度の大きさは、頭部傷害発生の基準として考えられており、このグラフは、フード１４の表面（外面）にクッションを設けると、頭部傷害低減に効果があることを示している。
【００３２】
フード１４の表面にクッションが有る場合に、頭部に生じる加速度が低減される理由は、臀部・胴部・肩部がフード１４に接触したときの衝撃を、そのクッションが緩和・吸収するためである。したがって、フード１４全体にエアバッグ３０などの衝撃吸収機構を設けることが望ましい。本実施形態に係るエアバッグ３０は、フード１４全体に展開される構成であるため、このシミュレーションに用いたクッションと同等以上の作用・効果を奏し、頭部傷害低減効果が充分に得られるものと考えられる。
【００３３】
以上、本実施形態に係る歩行者保護用フードエアバッグ装置１０は、フード１４全体にエアバッグ３０を展開する技術と、エアバッグ３０と歩行者との接触面に感圧接着剤３２を設けて、歩行者の路面（地面）への落下（２次衝突）を防止する技術とを単に組み合わせたものではなく、エアバッグ３０の展開により、フード前部１６をウィンドウシールド２２側へ跳ね上げたときに、そのフード前部１６がフード後部１８に底付きしない構成にしたものであるため、エアバッグ３０（車両１２）に衝突した歩行者の頭部が、ウィンドウシールド２２側に移動して車体と衝突するのを確実に防ぐことができ、頭部傷害低減効果を確実に高めることができる。したがって、歩行者事故死者数、負傷者数、特に頭部傷害を低減することができる。
【図面の簡単な説明】
【００３４】
【図１】歩行者保護用フードエアバッグ装置が装備された車両のエアバッグ展開前の状態を示す概略斜視図
【図２】歩行者保護用フードエアバッグ装置が装備された車両のエアバッグ展開前の状態を示す概略断面図
【図３】歩行者保護用フードエアバッグ装置が装備された車両のエアバッグ展開後の状態を示す概略斜視図
【図４】歩行者保護用フードエアバッグ装置が装備された車両のエアバッグ展開後の状態を示す概略断面図
【図５】（Ａ）展開したエアバッグを示す概略斜視図、（Ｂ）展開したエアバッグの概略断面図
【図６】フードにクッションが有る場合と無い場合の歩行者の頭部に生じる加速度を比較したグラフ
【符号の説明】
【００３５】
１０  歩行者保護用フードエアバッグ装置
１２  車両
１４  フード
１６  フード前部
１８  フード後部
２０  ヒンジ
２２  ウィンドウシールド
２４  支持板（車体）
２６  インフレータ
２８  ネット（接着防止手段）
３０  エアバッグ
３２  感圧接着剤（吸着保持手段）
【図１】
2008254498.tif 000003
【図２】
2008254498.tif 000004
【図３】
2008254498.tif 000005
【図４】
2008254498.tif 000006
【図５】
2008254498.tif 000007
【図６】
2008254498.tif 000008